(57)【要約】【課題】  前記従来のステップ用具では、作業者がステップ用具を使って建築用鉄骨を昇り降りする際に、ステップ用具に掛けた足が不安定であったり若しくは足が滑ったりする恐れがあるという問題があった。【解決手段】  本発明は、変形六角形に形成された帯板からなるステップ部材本体の一対の斜辺部及び長辺部に凹凸部を備えた切欠き部を形成し、さらに、当該ステップ部材本体と一体をなす掛具によって建築用鉄骨の外側面に対し固着される支持部材に掛止可能に形成した建築用タラップである。本発明によって、安定して建築用鉄骨の昇り降りを行うことができる。【選択図】  図１
2011144608.tif 000002
【特許請求の範囲】
【請求項１】
建築用鉄骨の外側面に対し固着される支持部材と、該支持部材に掛止可能なステップ部材とからなる建築用タラップであって、
支持部材は、支持部材本体の両側に前方に延びる脚部が形成され、該脚部の前端が建築用鉄骨に固着される固着面に形成され、
ステップ部材は、帯板を環状に形成してなるステップ部材本体と、該ステップ部材本体と一体をなし支持部材本体に掛止可能に形成される掛具とからなり、
前記掛具は、ステップ部材本体から前方に突出して形成されて支持部材本体の上端に載置可能な当接部と、該当接部前端から周方向に延出して形成された抜け止め部とを備える掛止部、及び、ステップ部材本体から前方に一体に突出して形成され当接部が支持部材本体に載置された際に支持部材の脚部の側面に当接して支持部材に対しステップ部材が回転しないよう制限する回転止め部とからなり、
前記ステップ部材本体は、前方に位置し掛具が固定される短辺部、該短辺部の両側端からそれぞれ後方に向かって末広がりに連接する一対の斜辺部、該一対の斜辺部の各後端から後方に略平行に連接する一対の側辺部、及び、前記短辺部に対向した位置に配置され前記一対の側辺部後端を互いに連結して形成される長辺部とからなる変形六角形に形成され、
前記長辺部の上端面中央部には、靴底幅よりも幅広であって長辺部の両側部上端面よりも下方に切り欠かれ、両端に足元係止壁を備えた足元切欠き部が形成されると共に、前記足元切欠き部上面には波状の凹凸部が形成され、
前記各斜辺部の上端面中央部であって足元切欠き部の左右両端を前方に投影した位置より内側に、各斜辺部の両側部上端面よりも下方に切り欠かれ、両端に足先係止壁を備えた足先切欠き部が形成されてなる
ことを特徴とする建築用タラップ。
【発明の詳細な説明】
【技術分野】
【０００１】
この発明は、ビルの建築現場や作業場などにおいて、建築用鉄骨組段階における昇降作業用のステップを確保するために仮設されるステップ用具に関する。
【背景技術】
【０００２】
ビルや工場などの建築には、建築用鉄骨を立設した後に順次組立を進める作業が伴うが、建築用鉄骨を立設し組み立てる当初段階においては足場が組まれておらず、建築用鉄骨の高い場所に昇り降りするための足掛部を設ける必要がある。しかも、この足掛部は、建築用鉄骨組が終わり足場も組まれた後は、壁材などの装着をするのに支障となるものであり、建築用鉄骨組み作業終了後には後続する作業に支障がない程度に簡単に除去できる必要がある。
【０００３】
従来のステップ用具は、図６に示すように、支持部材Ａとステップ部材Ｂとを備える。支持部材Ａは、支持部材本体ａの中央に上向き凹部ａ１が設けられ、両側に前方向きに脚部ａ２が形成され、脚部前端が建築用鉄骨Ｘ等に対し固着される。ステップ部材Ｂは、帯板を矩形に形成してなるステップ部材本体ｂ１と、支持部材Ａの脚部を挟持する間隔で、ステップ部材本体ｂ１から径方向外方に向けて突設された左右一対の回転止め部Ｃと、脚部によって回転を規制される頭部ｄ１を有し、支持部材の上向き凹部に掛止可能で、ステップ部材本体ｂ１及び回転止め部Ｃ間に貫設され、ステップ部材本体ｂ１内からナットｄ２によって締められる固定用ボルト部材Ｄとからなる。
【０００４】
このステップ用具を使用するには、まず、支持部材Ａを建造物となる建築用鉄骨Ｘに上下方向に一定間隔であらかじめ固着しておき、建築用鉄骨Ｘが立設された後、この支持部材Ａの上向き凹部に、ステップ部材Ｂの固定用ボルト部材Ｄの軸部分を嵌挿する。そして、ナットｄ２を締めることによりステップ部材Ｂを支持部材Ａに固定して使用する。また、逆にナットｄ２を緩めることにより、支持部材Ａからステップ部材Ｂを取り外すことができる。
【先行技術文献】
【特許文献】
【０００５】
【特許文献１】実公平７−６４８０
【発明の概要】
【発明が解決しようとする課題】
【０００６】
しかし、前記従来のステップ用具では、作業者がステップ用具を使って建築用鉄骨Ｘを昇り降りする際に、ステップ用具に掛けた足が不安定であったり若しくは足が滑ったりする恐れがあるという問題があった。
【課題を解決するための手段】
【０００７】
そこで、前記課題を解決するため、本発明に係る建築用タラップは、建築用鉄骨の外側面に対し固着される支持部材と、該支持部材に掛止可能なステップ部材とからなる建築用タラップであって、支持部材は、支持部材本体の両側に前方に延びる脚部が形成され、該脚部の前端が建築用鉄骨に固着される固着面に形成され、ステップ部材は、帯板を環状に形成してなるステップ部材本体と、該ステップ部材本体と一体をなし支持部材本体に掛止可能に形成される掛具とからなり、前記掛具は、ステップ部材本体から前方に突出して形成されて支持部材本体の上端に載置可能な当接部と、該当接部前端から周方向に延出して形成された抜け止め部とを備える掛止部、及び、ステップ部材本体から前方に一体に突出して形成され当接部が支持部材本体に載置された際に支持部材の脚部の側面に当接して支持部材に対しステップ部材が回転しないよう制限する回転止め部とからなり、前記ステップ部材本体は、前方に位置し掛具が固定される短辺部、該短辺部の両側端からそれぞれ後方に向かって末広がりに連接する一対の斜辺部、該一対の斜辺部の各後端から後方に略平行に連接する一対の側辺部、及び、前記短辺部に対向した位置に配置され前記一対の側辺部後端を互いに連結して形成される長辺部とからなる変形六角形に形成され、前記長辺部の上端面中央部には、靴底幅よりも幅広であって長辺部の両側部上端面よりも下方に切り欠かれ、両端に足元係止壁を備えた足元切欠き部が形成されると共に、前記足元切欠き部上面には波状の凹凸部が形成され、前記各斜辺部の上端面中央部であって足元切欠き部の左右両端を前方に投影した位置より内側に、各斜辺部の両側部上端面よりも下方に切り欠かれ、両端に足先係止壁を備えた足先切欠き部が形成されてなることを特徴とする。
【０００８】
支持部材は、支持部材本体の両側に前方に延びる脚部が左右に一対形成され、平板状の鋼板を変形加工若しくは組合せ加工することで平面視がコの字状となるように形成される。支持部材の脚部の前端は建築用鉄骨の外表面に固着される固着面に形成され、当該固着面を建築用鉄骨に溶接することによって支持部材を固着する。支持部材が建築用鉄骨に固着されると、支持部材本体と建築用鉄骨外表面との間に間隙が形成される。
【０００９】
掛具が形成されるステップ部材本体における位置は特に限定されないが、好ましくはステップ部材本体の前部を構成する短辺部に固定されて一体に形成されていることが好ましい。また、短辺部における掛具を固定する位置も特に限定されず、短辺部の外側面、又は内側面に固定してもよく、また、短辺部に貫通孔を形成して、該貫通孔に掛具の一部を貫設して固定することとしても好ましい。
【００１０】
掛具は、ステップ部材を支持部材に掛止めて保持する掛止具と、支持部材に掛止められたステップ部材が足を掛けて踏み込んだ際に回転してしまうことを制限するための回転止め部とからなる。
【００１１】
掛止具を構成する当接部は、ステップ部材本体から前方に突出して形成されているため、ステップ部材を支持部材に掛止めする際に支持部材本体の上端面に当接するように載置可能である。また、当接部の前端から周方向に延出して形成された抜け止め部は、当接部が支持部材本体の上端に載置された際に支持部材本体と建築用鉄骨外表面との間に形成された間隙に挿し込まれ、ステップ部材が支持部材から抜け落ちることを防止することができる。
【００１２】
掛止具は、ステップ部材本体から前方に延びる水平板を当接部とし、当該水平板の先端から下方に屈曲して形成された下方屈曲部を抜け止め部として構成しても良い。下方屈曲部を支持部材本体と建築用鉄骨外側面との間に形成された間隙に上方向から挿し込み、水平板を支持部隊本体の上端に載置してステップ部材を支持部材に掛止めることができる。
【００１３】
また掛止具は、ステップ部材本体を貫通して固定された固定用ボルトのボルト軸を当接部とし、当該ボルト軸の前端に形成されたボルトヘッドを抜け止め部として構成してもより好ましい。なお、前記固定用ボルトのボルトヘッドはボルト軸よりも大きい径に形成されているものである。また、前記固定用ボルトからなる前記掛止具は、支持部材本体の上部に上向き凹部を形成し、当該上向き凹部の上方からボルト軸を嵌挿して支持部材本体に載置し、ステップ部材を掛止るように構成することが好ましい。
【００１４】
また、掛具を構成する回転止め部は、好ましくは支持部材の左右の幅の長さよりも僅かに長い間隔を有する二枚の鋼板からなる突出部がステップ部材本体の前方に突出して設置されて構成される。このような構成により、当接部が支持部材本体に載置された際に、回転止め部の内側面を支持部材の左右の脚部の外側面に沿って近接するように嵌め込むことができ、ステップ部材が回転しようとすると回転止め部と支持部材の脚部とが当接することによりステップ部材の回転を制限することができる。
【００１５】
なお、掛止具が前記水平板及び下方屈曲部からな構成される場合、下方屈曲部を前記間隙に上方から挿し込むことにより、ステップ部材が回転しようとすると下方屈曲部が支持部材の脚部の内側面と当接するため、下方屈曲部自体をステップ部材の回転を制限する回転止め部と兼用することができる。
【００１６】
足元切欠き部及び足先切欠き部は、それぞれ長辺部及び斜辺部の上端面の中央部が切り欠かれて形成されている。
【００１７】
長辺部に形成された足元切欠き部は、靴底幅よりも幅広に形成されており、長辺部に足を掛けた際に靴底を足元切欠き部に嵌め込んで足を踏み込むことができる。
【００１８】
左右の斜辺部に形成された足先切欠き部は、それぞれ足元切欠き部の左右両端を前方に投影した位置より内側に切り欠いた部分が存在するように形成されている。このような構成により、足を足元切欠き部に載置して足を踏み込む際に、足先を足先切欠き部に掛けることができるため、ステップ部材が足元切欠き部及び足先切欠き部の二点で足の裏面を水平に支持することができ、安定してステップを踏み込むことができる。
【００１９】
切欠き部の両側端には切欠き部の上面と長辺部及び斜辺部の両側部上端面との間に形成された段差からなる係止壁が形成されている。当該係止壁は、その上端が波状の凹凸部よりも上方に延出するように形成されているため、作業者が足を波状の凹凸部上に載せて昇り降りする際に、足の側面を前記係止壁に係止することができる。そのため、作業者の足が左右に滑ることを防止することができる。
【００２０】
また、切欠き部の上面に波状の凹凸部を形成することによって、ステップ部材が足の裏面を保持する力を向上させることができる。
【発明の効果】
【００２１】
本発明によれば、建築用鉄骨を昇り降りする際に、ステップ部材本体に足を掛けて踏み込んでも足が横滑りし難く、足が前後左右に滑ることを防止することができる。
【００２２】
本発明は、変形六角形の環状に形成されているため、長辺部及び斜辺部に足を載せて昇り降りすることができる。これにより足を二点で支えることができるため、安定して昇り降りすることができる。
【００２３】
さらに、長辺部には足元切欠き部が形成され、かつ斜辺部には足先切欠き部が形成されていることから、足を長辺部と斜辺部の二点で支えるように昇り降りした場合にも足の裏面を平行に保持することができるため、足が前後方向に滑ることを防止することができる。
【００２４】
各切欠き部の上面には波状の凹凸部が形成されているため、切欠き部に足を載せても滑り難く、安定して昇り降りを行うことができる。
【００２５】
また、各切欠き部の両側端には係止壁が形成されており、その上端が波状の凹凸部よりも上方に延出しているため、作業者が足を波状の凹凸部上に載せて昇り降りする際に、足の側面を前記係止壁に係止することができる。特に、足を斜辺部に載せた状態で踏み込むと足が左右方向に滑り易いが、斜辺部に形成された足先係止壁により、足が左右方向に滑ることを防止することができる。
【図面の簡単な説明】
【００２６】
【図１】建築用タラップ１の斜視図である。
【図２】建築用鉄骨９に固着した支持部材３にステップ部材２を掛止した状態の建築用タラップ１を上方向から観た図である。
【図３】足元切欠部４１ａに足Ｆを載置させた状態を示す長辺部４１の正面部分を示した図である。
【図４】建築用タラップ１をボルト軸７１の中心で切断した縦断面図である。
【図５】立設された建築用鉄骨９の上下方向に間隔をあけて取り付けられた建築用タラップ１を作業者Ｈが使用している状態を示す図である。
【図６】従来のステップ用具を示す斜視図である。
【発明を実施するための形態】
【００２７】
以下に、図面を参照しながら本発明の実施形態について詳しく説明する。
【００２８】
図１は、本発明に係る建築用タラップ１を建築用鉄骨９の外側面に取り付ける様子を示す斜視図である。建築用タラップ１はステップ部材２と支持部材３とを備え、ステップ部材２はステップ部材本体４及び掛具５とからなる。また、掛具５は、回転止め部６、固定用ボルト７、及びナット８とから構成される。ここで、固定用ボルト７は、後に説明する上向き凹部３１ａに挿し込むことにより、ステップ部材２を支持部材３に掛止める掛止部の役目を果たすものである。
【００２９】
支持部材３は、支持部材本体３１の中央に上向きに形成された上向き凹部３１aが設けられ、支持部材本体３１の両側に前向きに脚部３２、３２が形成され、脚部３２の前端３２ａが建築用鉄骨９に対し固着される。支持部材３は、建築用鉄骨９の側面に脚部３２の前端３２ａを溶着させて固着させることが好ましい。
【００３０】
支持部材３は、建築用鉄骨９の外側面に上下方向に一定間隔で予め固着しておき、建築用鉄骨９が立設された後、図２に示すように、上向き凹部３１ａに、ステップ部材２の固定用ボルト７のボルト軸７１を嵌挿する。そして、ナット８を締め込むことにより、ステップ部材２と支持部材３とをボルトヘッド７２とナット８とで挟持して固定することによって使用する。また、ナット８を緩めることにより支持部材３からステップ部材２を取り外すことができる。
【００３１】
建築用タラップ１を昇り降りする際には、ステップ部材本体４が環状に形成されてなるから、作業者Ｈは図５に示すようにステップ部材本体４を確実に握持できるうえ、その上面は足載面となり足を安定して載せることができ、安全に昇り降りすることができる。別途足場枠が組立てられるなどして、建築用鉄骨９に取り付けられた建築用タラップ１が不要となった時には、ステップ部材２を支持部材３から上方に抜脱することによって、ステップ部材２を支持部材３から取り外すことができる。この際、作業者Ｈは上から下へ降りながら順次にステップ部材２の取り外し作業を行うことができる。また、ステップ部材２を取り外した後は、建築用鉄骨９には支持部材３だけが残り、後続する工事への支障がない。
【００３２】
ステップ部材本体４は、手前の長辺部４１と、長辺部４１の前方に対向して配置された短辺部４２とを、それぞれ、斜辺部４３と側辺部４４とで連結したもので、変形六角形の環状に帯板を屈曲形成したものである。斜辺部４３は短辺部４２とほぼ４５度の角度をなして屈曲されてなり、側辺部４４は長辺部４１に対してほぼ直角をなして屈曲されてなる。
【００３３】
斜辺部４３が形成されていることで、足Ｆの裏面を長辺部４１の上面に載せると図２に示すように自然に足Ｆの先端部分を斜辺部４３に載せることができるため、足Ｆの裏面を二点で支持することができ、安全に昇り降りを行うことができる利点がある。
【００３４】
さらに、ステップ部材本体４には、図１に示すように、長辺部４１及び斜辺部４３、４３の上端面の中央部分を切り欠いて、足元切欠き部４１ａ、及び足先切欠き部４３ａ、４３ａが形成されている。また、足元切欠き部４１ａ、足先切欠き部４３ａ、４３ａの上面には波状の凹凸部４１ｃ、４３ｃが形成されており、握持し易い効果を有する他、足を載せたときに足が滑り難いという効果を備えることができる。
【００３５】
また、足元切欠き部４１ａ及び足先切欠き部４３ａの両側端には、切欠き部の上面と長辺部４１及び斜辺部４３の両側部上端面との間に形成された段差からなる足元係止壁４１ｂ及び足先係止壁４３ｂがそれぞれ形成されている。当該足元係止壁４１ｂ及び足先係止壁４３ｂは、その上端が波状の凹凸部４１ｃ、４３ｃよりも上方に延出するように形成されているため、図２及び図３に示すように作業者Ｈが足Ｆを波状の凹凸部上に載せて昇り降りする際に、足Ｆの側面を足元係止壁４１ｂ及び足先係止壁４３ｂに係止することができる。
【００３６】
回転止め部６は、ステップ部材本体４の短辺部４２の外面に固着されている。回転止め部６は、図２に示すように、Ｕ字形状を成しており、短辺部４２と固着している回転止め部本体６１及び回転止め部本体６１の両側端から前方に突設された突出部６２、６２とからなる。突出部６２、６２は、設置される互いの間隔が支持部材３の左右の幅の長さよりも僅かに長くなるように設置されている。これにより、掛具５を支持部材３に取り付けた際に、突出部６２、６２の内側面が支持部材３の左右の脚部３２、３２の外側面に沿って近接するように嵌め込まれる。
【００３７】
また、短辺部４２の中央及び回転止め部本体６１の中央には、図４に示すように互いに連通して貫設された挿通孔４５、６３が設けられている。当該挿通孔４５、６３には、固定用ボルト７が、ボルトヘッド７２がステップ部材本体４の外側に位置するように進退自在に螺合され、ステップ部材本体４の環内側方向からナット８によって固定されている。この場合、短辺部４２の挿通孔４５のみにネジ山を刻んで、回転止め部本体６１の挿通孔６３はネジ山を刻んだ挿通孔４５の径よりも大きい径に形成しても良い。逆に、回転止め部本体６１の挿通孔６３にのみネジ山を刻んで、ステップ部材本体４の挿通孔４５はネジ山を刻んだ挿通孔６３の径よりも大きい径に形成しても良い。さらにまた、挿通孔４５、６３に連続したネジ山を刻んでも良い。
【００３８】
ここで、固定用ボルト７は、回転止め部本体６１の前面から突出したボルト軸７１の先端にボルトヘッド７２が配置されるように設置される。このとき、ボルト軸７１の一部が回転止め部本体６１の前面に露出する。
【００３９】
ステップ部材２を支持部材３に掛止める際は、支持部材本体３１の中央に上向きに形成された上向き凹部３１aにボルト軸７１を挿し込む。そして、ナット８を締めることによりステップ部材２を支持部材３に固定することができる。
【００４０】
このとき、支持部材３の脚部３２の外面は、図２に示すように掛具５が備える突出部６２の内面に沿うように近接して嵌め込まれるため、固定用ボルト７がステップ部材２と共に軸方向に回転することを防止することができる。
【００４１】
建設用タラップ１の取り付けに際しては、予め建築用鉄骨９の外側面に作業者Ｈが昇り易い間隔をあけて支持部材３を必要数だけ溶接により固着しておく。もちろん、建築現場にて所要の間隔を空けて支持部材３を必要数だけ溶接により固着しても良い。そして、作業に応じて足場が必要になったとき、立設される前の建築用鉄骨９或いは既に立設された建築用鉄骨９の上下方向にステップ部材２を取り付ける。この取付け作業は、ステップ部材２の掛具５の固定用ボルト７を、ボルト軸７１を支持部材本体３１に形成された上向き凹部３１aに嵌め込み、ナット８を締め込むことによって行う。なお、ステップ部材２を支持部材に取り付けると、ボルトヘッド７２は支持部材本体３１と建築用鉄骨９との間の空間に嵌り込まれて配置される。
【００４２】
このような装着作業は、立設された建築用鉄骨９を昇りながら順次上方に向かって行うことが可能であり、取付け後は図に示すように、建築用タラップ１が上下方向に列設され、タラップを形成する。
【００４３】
以上より、作業者Ｈが高所で作業する場合は、建築用タラップ１の取付け完了と共に建築作業を開始することができる。また、建築用タラップ１が既設されている建築用鉄骨１０に対しては、低所からタラップを昇るごとく本発明を利用することができる。
【００４４】
建築用タラップ１は、変形六角形の環状に形成されているため、図２に示すように長辺部４１及び斜辺部４３に足を載せて昇り降りすることができる。これにより足を二点で支えることができるため、安定して昇り降りすることができる。
【００４５】
さらに、長辺部４１には足元切欠き部４１ａが形成され、斜辺部４３には足先切欠き部４３ａが形成されていることから、足を長辺部４１と斜辺部４３の二点で支えるように昇り降りした場合にも足の底面を平行に保持することができるため、足が前後方向に滑ることを防止することができる。
【００４６】
足元切欠き部４１ａ及び足先切欠き部４３ａの上面には波状の凹凸部４１ｃ、４３ｃが形成されているため、切欠き部に足を載せても滑り難く、安定して昇り降りを行うことができる。
【００４７】
また、足元切欠き部４１ａ及び足先切欠き部４３ａの両側端には、切欠き部の上面と長辺部４１及び斜辺部４３の両側部上端面との間に形成された段差からなる足元係止壁４１ｂ及び足先係止壁４３ｂが形成されている。当該係止壁は、その上端が波状の凹凸部よりも上方に延出しているため、図３に示すように作業者Ｈが足Ｆを波状の凹凸部上に載せて昇り降りする際に、足の側面を係止壁に係止することができる。特に、足を斜辺部４３に載せた状態で踏み込むと足が左右方向に滑り易いが、足先係止壁４３ｂで足の側面を係止することにより、足が左右方向に滑ることを防止することができる。
【符号の説明】
【００４８】
１      建築用タラップ
２      ステップ部材
３      支持部材
３１    支持部材本体
３１ａ  上向き凹部
３２    脚部
３２ａ  前端
４      ステップ部材本体
４１    長辺部
４１ａ  足元切欠き部
４１ｂ  足元係止壁
４１ｃ  足元波状の凹凸部
４２    短辺部
４３    斜辺部
４３ａ  足先切欠き部
４３ｂ  足先係止壁
４３ｃ  足先波状の凹凸部
４４    側辺部
５      掛具
６      回転止め部
６１    回転止め部本体
６２    突出部
７      ボルト
７１    ボルト軸
７２    ボルトヘッド
８      ナット
９      建築用鉄骨
【図１】
2011144608.tif 000003
【図２】
2011144608.tif 000004
【図３】
2011144608.tif 000005
【図４】
2011144608.tif 000006
【図５】
2011144608.tif 000007
【図６】
2011144608.tif 000008